(57)【要約】【課題】  ホログラムの表面に、寒色系の色成分を用いた層が形成された場合であっても、ホログラムの絵柄を光学的に適切に取り込むことが可能なホログラム記録媒体を提供する。【解決手段】  基材１と、ホログラムが形成されたホログラム層２と、印刷インキによる印刷層３と、を有するホログラム記録媒体であって、印刷層３は、ホログラム層２に重ねて形成されており、印刷層３は、寒色系の色成分と、当該寒色系の色成分より少ない量の暖色系の色成分を用いて形成されている。【選択図】  図５
2016180777.tif 000002
【特許請求の範囲】
【請求項１】
基材と、ホログラムが形成されたホログラム層と、印刷インキによる印刷層と、を有するホログラム記録媒体であって、
前記印刷層は、前記ホログラム層に重ねて形成されており、当該印刷層は、寒色系の色成分と、当該寒色系の色成分より少ない量の暖色系の色成分を用いて形成されていることを特徴とするホログラム記録媒体。
【請求項２】
前記印刷層は、前記寒色系の色成分を実現するために寒色系の印刷インキに対して、当該寒色系の印刷インキに含まれる寒色系の顔料よりも低い含有量で、前記暖色系の色成分を実現するための暖色系の顔料を混入し、混入により得られた印刷インキを用いて印刷することにより形成されていることを特徴とする請求項１に記載のホログラム記録媒体。
【請求項３】
前記印刷層は、前記寒色系の色成分を実現するための寒色系の印刷インキを用いて第１の網点面積率で印刷し、前記暖色系の色成分を実現するための暖色系の印刷インキを用いて、前記第１の網点面積率より小さい第２の網点面積率で印刷することにより形成されていることを特徴とする請求項１に記載のホログラム記録媒体。
【請求項４】
前記暖色系の色成分は、前記寒色系の色成分の補色となる色成分であることを特徴とする請求項１から請求項３のいずれか一項に記載のホログラム記録媒体。
【発明の詳細な説明】
【技術分野】
【０００１】
本発明は、ホログラムを記録したホログラム記録媒体に関する。
【背景技術】
【０００２】
従来、チケット、金券、有価証券等の価値ある印刷物の偽造を防止するため、様々な偽造防止技術が施されている。偽造防止技術としては、複写防止画線、ホログラム、光学的変化材料、潜像模様等、様々なものが利用されている。中でも、ホログラムは、必要とされる技術の高度性のため、複製することを困難にしている。出願人も、ホログラムを利用した偽造防止技術について提案を行っている（特許文献１参照）。
【先行技術文献】
【特許文献】
【０００３】
【特許文献１】特開２０１４−９２６４６号公報
【発明の概要】
【発明が解決しようとする課題】
【０００４】
ホログラムを記録した媒体においては、形成されたホログラムの上層に、いわゆる地紋等の単調なパターンが印刷されることがある。このような媒体をスキャナで取り込む際、印刷によるパターンを取り込んだ場合に色かぶりが発生し、スキャナの種類によっては、ホログラムによる回折光が上手く取り込めないことがある。
【０００５】
通常、ホログラムの絵柄を表現するためのホログラムの回折光は、可視光の中でも長波長域に相当するものである。ホログラムの上層の単調なパターンに、寒色系の色成分が用いられた場合、スキャナの光源からの光のうち、短波長成分を吸収しないため、ホログラムの回折光が適切に取り込めないことになる。この場合、スキャナにより得られる画像には、ホログラムが表現する像が適正に記録されないことになる。このような現象が発生すると、ホログラムやパターンの絵柄の修正指示の原稿作成、カタログ等の印刷物に写真を載せる等して使用したい場合、見本となるホログラム自体を改めて別途作成する必要があり、大きな作業負荷を要するという問題がある。
【０００６】
そこで、本発明は、ホログラムの表面に、寒色系の色成分を用いた層が形成された場合であっても、ホログラムの絵柄を光学的に適切に取り込むことが可能なホログラム記録媒体を提供することを課題とする。
【課題を解決するための手段】
【０００７】
上記課題を解決するため、本発明第１の態様では、
基材と、ホログラムが形成されたホログラム層と、印刷インキによる印刷層と、を有するホログラム記録媒体であって、
前記印刷層は、前記ホログラム層に重ねて形成されており、当該印刷層は、寒色系の色成分と、当該寒色系の色成分より少ない量の暖色系の色成分を用いて形成されていることを特徴とするホログラム記録媒体を提供する。
【０００８】
本発明第１の態様によれば、基材と、ホログラムが形成されたホログラム層と、印刷インキによる印刷層を有するホログラム記録媒体において、印刷層が、ホログラム層に重ねて形成されており、印刷層が、寒色系の色成分と、その寒色系の色成分より少ない量の暖色系の色成分を用いて形成されているので、寒色系の色成分を用いた層が形成された場合であっても、ホログラムの絵柄を光学的に適切に取り込むことが可能となる。
【０００９】
また、本発明第２の態様では、前記ホログラム記録媒体において、前記印刷層は、前記寒色系の色成分を実現するために寒色系の印刷インキに対して、当該寒色系の印刷インキに含まれる寒色系の顔料よりも低い含有量で、前記暖色系の色成分を実現するための暖色系の顔料を混入し、混入により得られた印刷インキを用いて印刷することにより形成されていることを特徴とする。
【００１０】
本発明第２の態様によれば、ホログラム記録媒体における印刷層が、寒色系の色成分を実現するために寒色系の印刷インキに対して、その寒色系の印刷インキに含まれる寒色系の顔料よりも低い含有量で、暖色系の色成分を実現するための暖色系の顔料を混入し、混入により得られた印刷インキを用いて印刷することにより形成されているので、１つの印刷インキを用いて印刷を行うことにより寒色系の色成分を用いた層が形成され、ホログラムの絵柄を光学的に適切に取り込ませることが可能なホログラム記録媒体を、簡易に作成することが可能となる。
【００１１】
また、本発明第３の態様では、前記ホログラム記録媒体において、前記印刷層は、前記寒色系の色成分を実現するための寒色系の印刷インキを用いて第１の網点面積率で印刷し、前記暖色系の色成分を実現するための暖色系の印刷インキを用いて、前記第１の網点面積率より小さい第２の網点面積率で印刷することにより形成されていることを特徴とする。
【００１２】
本発明第３の態様によれば、ホログラム記録媒体における印刷層が、寒色系の色成分を実現するための寒色系の印刷インキを用いて第１の網点面積率で印刷し、暖色系の色成分を実現するための暖色系の印刷インキを用いて、第１の網点面積率より小さい第２の網点面積率で印刷することにより形成されているので、印刷インキに特別な加工を施すことなく、寒色系の色成分を用いた層が形成され、ホログラムの絵柄を光学的に適切に取り込ませることが可能なホログラム記録媒体を簡易に作成することが可能となる。
【００１３】
また、本発明第４の態様では、前記ホログラム記録媒体において、前記暖色系の色成分は、前記寒色系の色成分の補色となる色成分であることを特徴とする。
【００１４】
本発明第４の態様によれば、ホログラム記録媒体における印刷層における暖色系の色成分が、その寒色系の色成分の補色となる色成分であるので、暖色系の色成分を少なくして、寒色系の色成分による表現を極力阻害することなく、ホログラムの絵柄を光学的に取り込ませることが可能となる。
【発明の効果】
【００１５】
本発明によれば、ホログラムの表面に、寒色系の色成分を用いた層が形成された場合であっても、ホログラムの絵柄を光学的に適切に取り込むことが可能となる。
【図面の簡単な説明】
【００１６】
【図１】本発明の一実施形態に係るホログラム記録媒体を示す図である。
【図２】本発明の一実施形態に係るホログラム記録媒体の各層を示す図である。
【図３】本発明の一実施形態に係るホログラム記録媒体の一部拡大図である。
【図４】スキャナによりホログラムの回折光の取り込みが困難な状態を示す概念図である。
【図５】スキャナによりホログラムの回折光の取り込みを可能とした状態を示す概念図である。
【発明を実施するための形態】
【００１７】
以下、本発明の好適な実施形態について、図面を参照して詳細に説明する。本明細書において、配合を示す「部」や比率は特に断わりがない限り質量基準である。
＜１．ホログラム記録媒体の構造＞
図１は、本発明の一実施形態に係るホログラム記録媒体を示す図である。そして、図１（ａ）は、本発明の一実施形態に係るホログラム記録媒体の印刷層形成面から見た平面図、図１（ｂ）は、図１（ａ）のＡ−Ａ線に対応する断面図である。
【００１８】
図１において、１は基材、２はホログラム層、３は印刷層である。図１（ｂ）においては、説明の便宜上、ホログラム記録媒体のサイズ（図面左右方向）に比べて各層の厚みが大きく描かれているが、ホログラム記録媒体はカード状またはシート状であるため、現実には、各層は、より薄く形成されている。
【００１９】
基材１の一方の面（図面上側の面）には、所定の領域にホログラム層２が形成されている。図１の例では、図１（ａ）に示すように、ホログラム層２は、網掛けで示した矩形状の領域に形成されている。
【００２０】
さらに、ホログラム層２に重ねて印刷層３が形成されている。特に、図１の例では、図１（ｂ）に示すように、印刷層３は、ホログラム層２を覆うようにして形成されている。また、図１（ａ）に示すように、印刷層３は、網掛けで示した矩形状の領域に形成されている。図１（ａ）に示す平面図において、印刷層３はホログラム層２よりも表側（図面手前側）に位置するが、印刷層３はベタ印刷で形成されていないため、下層側のホログラム層２が視認できるようになっている。図１（ａ）においては、視認可能であるホログラム層２の形成領域と印刷層３の形成領域の位置関係を示している。
【００２１】
図２（ａ）は、ホログラム層２のみを上面から示した図である。図２（ａ）の例では、ホログラム層２には、太陽を模したホログラム絵柄２ａが多数形成されている。図２（ｂ）は、印刷層３のみを上面から示した図である。図２（ｂ）の例では、矩形状のパターン３ａが多数印刷されている。印刷層３の領域全体にパターン３ａが所定の間隔で一様に印刷されることにより、いわゆる地紋としての役割を果たしている。
【００２２】
図３は、本発明の一実施形態に係るホログラム記録媒体の一部拡大図である。図３に示すように、ホログラム層２に重ねて印刷層３が形成されているため、印刷層３のパターン３ａと重なったホログラム絵柄２ａの部分は隠れることになる。しかし、パターン３ａが印刷されていない部分については、ホログラム絵柄２ａが視認されるようになっている。
【００２３】
＜２．各層の構成＞
基材１としては、用途に応じて種々の材料が適用できる。例えば、ポリエチレンテレフタレート、ポリエチレンナフタレートなどのポリエステル系樹脂、ナイロン６などのポリアミド系樹脂、ポリエチレン、ポリプロピレン、ポリメチルペンテンなどのポリオレフィン系樹脂、ポリ塩化ビニルなどのビニル系樹脂、ポリメチルメタアクリレートなどのアクリル系樹脂、ポリカーボネート、セロファン、セルロースアセテートなどのセルロース系フィルムなどが例示できる。基材１は、これら樹脂を主成分とする共重合樹脂、または、混合体（アロイを含む）、若しくは複数層からなる積層体であっても良い。また、基材１は、延伸フィルムでも、未延伸フィルムでも良いが、強度を向上させる目的で、一軸方向または二軸方向に延伸したフィルムが好ましい。基材１は、これら樹脂の少なくとも１層からなるフィルム、シート、ボード状として使用する。基材１は、ホログラム層２の塗布に先立って塗布面へ、コロナ放電処理、プラズマ処理、オゾン処理、フレーム処理、プライマー（アンカーコート、接着促進剤、易接着剤とも呼ばれる）塗布処理、予熱処理、除塵埃処理、蒸着処理、アルカリ処理、などの易接着処理を行ってもよい。また、必要に応じて、充填剤、可塑剤、着色剤、帯電防止剤などの添加剤を加えても良い。
【００２４】
ホログラム層２には、基材１側に位置する反射層側（図示省略）の面に微細な凹凸からなるレリーフホログラムが賦形されている。この微細な凹凸により、図２（ａ）に示すようなホログラム絵柄２ａが表現される。ホログラム層２は下記の電離放射線硬化性樹脂を含む組成物を電離放射線で硬化させてなる層とする。
【００２５】
電離放射線硬化性樹脂は（イ）分子中にイソシアネート基を３個以上有するイソシアネート類、（ロ）分子中に水酸基を少なくとも１個と（メタ）アクリロイルオキシ基を少なくとも２個有する多官能（メタ）アクリレート類、又は（ハ）分子中に水酸基を少なくとも２個有する多価アルコール類の反応生成物であるウレタン（メタ）アクリレートオリゴマーで、電離放射線硬化性を有するウレタン変性アクリレート樹脂である。好ましいウレタン（メタ）アクリレートオリゴマーとしては、詳細は特開２００１−３２９０３１号公報で開示されている光硬化性樹脂が好ましい。具体的には、ＭＨＸ４０５ニス（ＤＩＣグラフィックス（株）製、電離放射線硬化性樹脂商品名）、ユピマーＵＶ・Ｖ３０３１（三菱化学（株）製、電離放射線硬化性樹脂商品名）が例示できる。
【００２６】
ホログラム層２の形成は、上記の電離放射線硬化性樹脂と、必要に応じて、光重合開始剤、可塑剤、安定剤、界面活性剤等を加え、溶媒へ分散または溶解して、ロールコート、グラビアコート、コンマコート、ダイコートなどの公知のコーティング方法で塗布し乾燥して、レリーフを賦型した後に、電離放射線で反応（硬化）させればよい。ホログラム層２の厚さとしては、通常は１μｍ〜３０μｍ程度、好ましくは２μｍ〜２０μｍ程度である。複数回の塗布でもよい。
【００２７】
次に、ホログラム層２の一方の面には、ホログラムなどの光回折効果の発現する所定のレリーフ構造を賦型し、硬化させる。ホログラムは物体光と参照光との光の干渉による干渉縞を凹凸のレリーフ形状で記録されたものである。ホログラムには、例えば、フレネルホログラム等のレーザ再生ホログラム、及びレインボーホログラム等の白色光再生ホログラム、さらに、それらの原理を利用したカラーホログラム、コンピュータジェネレーティッドホログラム（ＣＧＨ）、ホログラフィック回折格子などがある。レリーフ形状は凹凸形状であり、特に限定されるものではなく、微細な凹凸形状を有する光拡散、光散乱、光反射、光回折などの機能を発現するものでもよく、例えば、フーリエ変換やレンチキュラーレンズ、光回折パターン、モスアイ、が形成されたものである。また、光回折機能はないが、特異な光輝性を発現するヘアライン柄、マット柄、万線柄、干渉パターンなどでもよい。
【００２８】
これらのレリーフ形状の作製方法としてはホログラム撮影記録手段を利用して作製されたホログラムや回折格子の他に、干渉や回折という光学計算に基づいて電子線描画装置等を用いて作製されたホログラムや回折格子をあげることもできる。また、ヘアライン柄や万線柄のような比較的大きなパターンなどは機械切削法でもよい。これらのホログラム及び／又は回折格子を単一若しくは多重に記録しても、組み合わせて記録しても良い。これらの原版は公知の材料、方法で作成することができ、通常、感光性材料を塗布したガラス板を用いたレーザ光干渉法、電子線レジスト材料を塗布したガラス板に電子線描画装置を用いてパターン作製する電子線描画法をなどが適用できる。
【００２９】
ホログラム層２面へ、上記のレリーフ形状を賦形（複製ともいう）する。ホログラムの賦型は、公知の方法によって形成でき、例えば、回折格子やホログラムの干渉縞を表面凹凸のレリーフとして記録する場合には、回折格子や干渉縞が凹凸の形で記録された原版をプレス型（スタンパという）として用い、樹脂層上に上記原版を重ねて加熱ロールなどの適宜手段により、両者を加熱圧着することにより、原版の凹凸模様を複製することができる。
【００３０】
ホログラム層２は、スタンパでエンボス中、又はエンボス後に、電離放射線を照射して、電離放射線硬化性樹脂を硬化させる。上記の電離放射線硬化性樹脂は、レリーフを形成後に、電離放射線を照射して硬化（反応）させると電離放射線硬化樹脂（ホログラム層２）となる。電離放射線としては、電磁波が有する量子エネルギーで区分する場合もあるが、本明細書では、すべての紫外線（ＵＶ−Ａ、ＵＶ−Ｂ、ＵＶ−Ｃ）、可視光線、ガンマー線、Ｘ線、電子線を包含するものと定義する。従って、電離放射線としては、紫外線（ＵＶ）、可視光線、ガンマー線、Ｘ線、または電子線などが適用できるが、紫外線（ＵＶ）が好適である。電離放射線で硬化する電離放射線硬化性樹脂は、紫外線硬化の場合は光重合開始剤、及び／又は光重合促進剤を添加し、エネルギーの高い電子線硬化の場合は添加しないで良く、また、適正な触媒が存在すれば、熱エネルギーでも硬化できる。
【００３１】
ホログラム層２の絵柄を擬似連続絵柄とすることが好ましい。擬似連続絵柄はプレス型（スタンパという）を作成する際に、小さなレリーフ版の複数を、精度よく突合せてつなぎ目を目立たなくしたり、つなぎ目を樹脂で埋めたりすればよい。このように、擬似連続絵柄とすることで、できるだけ大きな面積、又は好ましくは全面とすることもできる。大面積又は全面のホログラム絵柄を背景とし他の任意な印刷絵柄と、同調させたり、合わせたりして、さらなる特異な意匠性を向上させることができる。
【００３２】
図示は省略しているが、レリーフの反射及び／又は回折効果を高めるため、所定のレリーフ構造を設けたホログラム層２のレリーフ面へ、反射層を設けることが好ましい。反射層としては、ホログラム層２の反射率がより高ければ、特に限定されない。反射層としては、真空薄膜法などによる金属薄膜などの金属反射層、又は透明反射層のいずれでもよい。
【００３３】
金属反射層の場合、反射層に用いる金属としては、金属光沢を有し光を反射する金属元素の薄膜で、Ｃｒ、Ｎｉ、Ａｇ、Ａｕ、Ａｌ等の金属、及びその酸化物、硫化物、窒化物等の薄膜を単独又は複数を組み合わせてもよい。上記の光反射性の金属薄膜の形成は、いずれも１０ｎｍ〜２０００ｎｍ程度、好ましくは２０ｎｍ〜１０００ｎｍの厚さになるよう、真空蒸着法、スパッタリング法、イオンプレーティング法などの真空薄膜法で得られるが、その他、メッキなどによっても形成できる。反射層の厚さがこの範囲未満では、光がある程度透過して効果が減じ、また、それ以上では、反射効果は変わらないので、コスト的に無駄である。
【００３４】
透明反射層の場合、所定のレリーフ構造を設けたホログラム層２面のレリーフ面へ、透明反射層を設けることにより、レリーフの反射及び／又は回折効果を高めるので、ほぼ無色透明な色相で、その光学的な屈折率がホログラム層２のそれとは異なることにより、金属光沢が無いにも関わらず、ホログラムなどの光輝性を視認できるから、透明なホログラムを作製することができる。
【００３５】
透明反射層としては、例えば、ホログラム層２よりも光屈折率の高い薄膜、および光屈折率の低い薄膜とがあり、前者の例としては、ＺｎＳ、ＴｉＯ2、Ａｌ2Ｏ3、Ｓｂ2Ｓ3、ＳｉＯ、ＳｎＯ2、ＩＴＯ等があり、後者の例としては、ＬｉＦ、ＭｇＦ2、ＡｌＦ3がある。好ましくは、金属酸化物又は窒化物であり、具体的には、Ｂｅ、Ｍｇ、Ｃａ、Ｃｒ、Ｍｎ、Ｃｕ、Ａｇ、Ａｌ、Ｓｎ、Ｉｎ、Ｔｅ、Ｆｅ、Ｃｏ、Ｚｎ、Ｇｅ、Ｐｂ、Ｃｄ、Ｂｉ、Ｓｅ、Ｇａ、Ｒｂ、Ｓｂ、Ｐｂ、Ｎｉ、Ｓｒ、Ｂａ、Ｌａ、Ｃｅ、Ａｕ等の酸化物又は窒化物、またはそれらを２種以上混合したもの等が例示できる。また、アルミニウム等の一般的な光反射性の金属薄膜も、厚みが２００Å以下になると、透明性が出て使用できる。透明金属化合物の形成は、金属の薄膜と同様、ホログラム層２のレリーフ面に、１０〜２０００ｎｍ程度、好ましくは２０〜１０００ｎｍの厚さになるよう、蒸着、スパッタリング、イオンプレーティング、ＣＶＤなどの真空薄膜法などにより設ければよい。
【００３６】
ホログラム層２の基材１への形成は、公知の様々な手法により行うことができる。例えば、転写箔を用いる場合、まず、転写基材、剥離層、ホログラム層、反射層、接着層を積層した転写箔を作成する。剥離層とホログラム層の間に保護層を設けてもよい。そして、転写箔を用いて接着層により基材１に接着してホログラム層、反射層を転写し、転写基材と剥離層を剥離することにより基材１上にホログラム層２を形成する。
【００３７】
印刷層３は、図２（ｂ）に示したように、所定のパターンを印刷した層である。この印刷層３は、公知の印刷インキを印刷することにより形成される。印刷層３が形成される領域は、ホログラム層２の全領域を含む領域であるため、ベタ印刷でなく、パターン状に印刷を行うことになる。すなわち、印刷層３においては、パターン３ａが形成され、パターン３ａ以外の部分については、下層のホログラム層２を視認可能としている。パターンの印刷としては、様々な形態で行うことができるが、本実施形態では、いわゆる地紋印刷を行っている。地紋とは、地の模様を意味しており、背景の模様的な役割を果たすものとなる。印刷層３を形成するための印刷方式としては、オフセット印刷、グラビア印刷、スクリーン印刷、インクジェット印刷等、公知の印刷方式を用いることができる。
【００３８】
地紋として、青、藍、紫等の寒色系の色が好まれる場合がある。このような寒色系の表現を印刷層３において行うと、印刷層３内の寒色系の顔料は長波長の光を吸収し、短波長の光を吸収しない。一方、ホログラム層２は、長波長域の回折効率が大きい。そのため、寒色系の色成分による地紋が印刷されていると、スキャナで取り込む場合、短波長の光が多く取り込まれ、ホログラム層２からの回折光があまり取り込まれないという現象が生じる。
【００３９】
ホログラム層２からの回折光がスキャナで取り込まれない場合、複写機が備えるスキャナでもホログラム層２からの回折光が取り込まれないことになるため、複写機でホログラムの複写を行うことができない。そのため、本実施形態では、ホログラム層２からの回折光を取り込むための工夫を行っている。具体的には、印刷層３に暖色系の色成分を加えることにより、短波長成分を吸収する機能を持たせる。このため、本実施形態では、以下の２つの手法により印刷層３に暖色系の色成分を加えている。
【００４０】
第１の手法は、印刷層３を形成するために塗布する寒色系の印刷インキに、暖色系の顔料を混入させるというものである。基本的には、暖色系の顔料であれば、どのようなものであってもよいが、印刷インキに含まれている寒色系の顔料の補色となる色成分のものが好ましい。例えば、印刷インキが青緑の場合、暖色系の顔料として赤の顔料を混入する。暖色系の色成分を実現するための暖色系の顔料を混入は、寒色系の印刷インキに含まれる寒色系の顔料よりも低い含有量となるようにすることが好ましい。混入する顔料の比率は、質量基準で、本来の印刷インキに含まれる顔料１０に対して１〜２程度である。一例としては、ティーアンドケイ東華社製の印刷インキUV VNLメジウム６００部、UV VNL黄３０部、UV VNL藍１２部、UV VNL紅５部の配合にて特色インキを調肉した。この例の場合、黄と藍による緑が４２（３０＋１２）部、紅（赤）が５部であるため、緑１０に対して、赤が１〜２の範囲に含まれる。なお、寒色系とは、緑、青、紫色、青緑、藍色等を示し、暖色系とは、赤、橙、黄色等を示している。また、補色とは、PCCS（日本色研配色体系：Practical Color Co-ordinate System）の２４色相の色相環において、ある色相に着目したときに対向する位置の色相または両側に隣接する色相を言う。補色としては、対向する位置の色相が最も好ましい。
【００４１】
第２の手法は、互いに異なる版で、それぞれ寒色系の印刷インキ、暖色系の顔料を含む印刷インキを塗布して、印刷層３を形成するというものである。この場合、地紋を構成する同形状のパターンをそれぞれ異なる網点面積率で作成した版を用意しておく。網点面積率の比率としては、寒色系の印刷インキ用の版１０に対して短波長成分を吸収する顔料を含む印刷インキの版１〜２程度である。例えば、パターン部分について、寒色系の印刷インキ用の版の網点面積率（第１の網点面積率）が７０％の場合、暖色系の顔料を含む印刷インキの版の網点面積率（第２の網点面積率）を１０％とすることができる。第２の手法においても、暖色系の顔料であれば、どのようなものであってもよいが、印刷インキに含まれている寒色系の顔料の補色となる色成分のものが好ましい。
【００４２】
＜３．回折光取込の事例＞
図４は、スキャナによりホログラムの回折光の取り込みが困難な状態を示す概念図である。光源４、ミラー５、撮像素子６はスキャナ内部の構成を示している。図４においては、寒色系の色成分のみによるパターンを形成した印刷層３´を有するホログラム記録媒体をスキャナで読み取る場合を示している。光源４からホログラム記録媒体に向かう３本の矢印は、それぞれ可視光の長波長成分、中波長成分、短波長成分を概念的に示している。
【００４３】
図４の例では、印刷層３´のパターンが寒色系の色成分のみにより形成されているため、短波長成分をあまり吸収しない。その結果、ミラー５により反射され、撮像素子６に取り込まれる短波長成分が多くなる。これにより、長波長成分の多いホログラム層２からの回折光が撮像素子６に取り込まれ難くなる。
【００４４】
図５は、スキャナによりホログラムの回折光の取り込みを可能とした状態を示す概念図である。図５においては、本実施形態に係るホログラム記録媒体、すなわち、寒色系の色成分に微量の暖色系の色成分を追加したパターンを形成した印刷層３を有するホログラム記録媒体をスキャナで読み取る場合を示している。図５に示すように、印刷層３に寒色系の色成分に加えて、微量の暖色系の色成分を追加した場合には、暖色系の色成分により短波長成分が吸収される。図５においては、吸収により減少した短波長成分を破線で示している。短波長成分が吸収されることにより、ホログラム層２からの回折光が撮像素子６に多く取り込まれるようになる。このため、撮像素子６に取り込まれた光に基づいて得られる画像には、ホログラム絵柄２ａが表現されることになる。
【００４５】
以上、本発明の好適な実施形態について説明したが、本発明は、上記実施形態に限定されず、種々の変形が可能である。例えば、上記実施形態では、印刷層３を、ホログラム層２の領域全体を覆うように形成したが、ホログラム層２に重ねて形成されていれば、必ずしもホログラム層２の領域全体を覆うように形成しなくてもよい。
【符号の説明】
【００４６】
１・・・基材
２・・・ホログラム層
２ａ・・・ホログラム絵柄
３、３´・・・印刷層
３ａ・・・パターン
４・・・光源
５・・・ミラー
６・・・撮像素子
【図１】
2016180777.tif 000003
【図２】
2016180777.tif 000004
【図３】
2016180777.tif 000005
【図４】
2016180777.tif 000006
【図５】
2016180777.tif 000007